(57)【要約】【課題】ディスクを載置するディスク装置において、載置トレイへの上方からの荷重によって生じる不具合を抑制することができる。【解決手段】ディスク装置３０は、光ディスクを載置する載置面３２ａが上面に形成され光ディスクを装着可能なチャッキング部３４を備えた載置トレイ３２と、載置トレイ３２を筐体２１の内部に格納された格納位置と筐体２１から突出した載置位置とに導くガイド部材３６と、載置トレイ３２が載置位置に位置するときに載置トレイ３２の下面側で載置トレイ３２を接地ローラ４３で支える接地支持部４０とを備えている。載置トレイ３２が格納位置にあるときは接地支持部４０により接地ローラ４３が載置トレイ３２の下面近傍に固定され、載置トレイ３２が載置位置に位置するときは接地ローラ４３が接地面と接地して載置トレイ３２を支える。このように、載置トレイ３２が載置位置にあるときには接地ローラ４３がこれを下支えする。【選択図】図４
2008171518.tif 000002
【特許請求の範囲】
【請求項１】
ディスクを載置する載置面が上面に形成された載置トレイと、
前記載置トレイを筐体内部に格納する格納位置と前記載置トレイを筐体内部から突出させ前記ディスクを載置可能な載置位置とに導く移動機構と、
移動機構により導かれて前記載置トレイが前記載置位置に位置するときに前記載置トレイの下面側で接地面と接地する接地部材を有し該接地部材により前記載置トレイを支える接地支持部と、
を備えたディスク装置。
【請求項２】
前記接地支持部は、前記接地部材が配設され、前記載置トレイが格納位置にあるときには前記接地部材を前記載置トレイの下面側に固定し、前記載置トレイが前記載置位置にあるときには前記接地部材を前記接地面に接地する接地面側に固定する接地機構、を備えている、請求項１に記載のディスク装置。
【請求項３】
前記接地機構は、前記載置トレイの下面側にその一端である固定端が回動可能に配設されると共に他端である回動端側に前記接地部材が配設された第１支持部材と、前記第１支持部材よりも短い長さに形成され前記第１支持部材の回動端側にその一端である接続端が接続されると共に他端である移動端が載置トレイの下面に沿って移動可能に配設された第２支持部材と、を備えている、請求項２に記載のディスク装置。
【請求項４】
前記接地機構は、前記第１及び第２支持部材の少なくとも一方を前記接地面に向って付勢する第１付勢部材と、前記移動機構によって前記載置トレイが前記格納位置にあるときには前記第１及び第２支持部材の少なくとも一方を前記載置トレイの下面側に付勢する第２付勢部材と、を備えている、請求項３に記載のディスク装置。
【請求項５】
前記移動機構は、筐体内部と筐体外部とに移動可能であり前記載置トレイを前記筐体内部と筐体外部とに導くガイド部材を備えており、
前記第１支持部材は、前記固定端が前記ガイド部材の筐体側に回動可能に配設され、
前記第２支持部材は、前記移動端が前記ガイド部材の先端側に前記固定端側へ移動可能に配設され、
前記第２付勢部材は、前記載置トレイに配設され、前記載置トレイが前記載置位置から前記格納位置へ移動すると、前記第２支持部材の移動端側を前記第１支持部材の固定端側に付勢することにより前記第１及び第２支持部材を前記載置トレイの下面側に付勢する、
請求項４に記載のディスク装置。
【請求項６】
前記載置トレイは、前記ディスクを装着するチャッキング部を有し、
前記接地支持部は、前記載置トレイが前記載置位置であるときに前記接地部材がチャッキング部の鉛直下方に位置するよう設けられている、請求項１〜５のいずれかに記載のディスク装置。
【請求項７】
前記移動機構は、前記載置トレイを前記筐体内部と筐体外部とに導くガイド部材と、前記載置トレイの先端が接地面に向って移動するよう前記ガイド部材を回動可能に支持するガイド支持部材と、備えている、請求項１又は２に記載のディスク装置。
【請求項８】
前記移動機構は、前記載置トレイを前記筐体内部から接地面に向って導くように形成されたガイド部材である、請求項１又は２に記載のディスク装置。
【請求項９】
前記接地支持部は、前記接地部材が前記載置トレイの先端に設けられたベゼルである、請求項７又は８に記載のディスク装置。
【請求項１０】
前記ベゼルは、前記載置トレイが前記格納位置にあるときに外部に露出する外面が前記載置位置では接地面に接するように前記載置トレイの先端に設けられた回動軸を中心に回動可能である、請求項９に記載のディスク装置。
【請求項１１】
前記接地支持部は、前記接地部材が接地面に接して対して転がる接地ローラである、請求項１〜８のいずれかに記載のディスク装置。
【請求項１２】
前記接地支持部は、前記接地部材を前記接地面に向って押圧する第１押圧部材と、前記移動機構によって前記載置トレイが前記格納位置にあるときには前記接地部材を前記載置トレイの下面側に押圧する第２押圧部材と、を備えている、請求項１〜１１のいずれかに記載のディスク装置。
【請求項１３】
請求項１〜１２のいずれかに記載のディスク装置と、
前記ディスク装置に設置されたディスクから読出したデータを印刷媒体へ印刷可能な印刷処理手段と、
を備えた印刷装置。
【発明の詳細な説明】
【技術分野】
【０００１】
本発明は、ディスク装置及び印刷装置に関する。
【背景技術】
【０００２】
従来、ディスク装置としては、ディスクを載置するトレイ本体の先端に継手を介して傾斜可能なトレイ片を備えたものが提案されている（例えば、特許文献１参照）。この特許文献１に記載された装置は、ディスクを載置・取り出す位置にトレイを移動するとトレイ片の先端側が下方に向って傾斜し、筐体内に格納する位置にトレイを移動するとトレー片の両側に設けられた誘導片によりガイドされてトレイ本体とトレイ片とが平面となって筐体内に格納される。このように、ディスクを取り出す際に、ディスクとトレイとの間に隙間ができることから、ディスクをつかみやすい。
【特許文献１】特開２００３−２９６９９９号公報
【発明の開示】
【発明が解決しようとする課題】
【０００３】
ところで、この特許文献１に記載されたものなど、ディスク装置では、トレイが上方から押圧されて荷重がかかるときなどに対して十分考慮されておらず、上方から荷重がかかるとトレイ本体が撓んだりして変形したり破損したりする不具合が発生するおそれがあった。また、トレイ本体にディスクを装着するチャッキング部が配設されているときには、ディスクを装着しようとして上方から押圧すると、トレイ本体が撓んだりして装着しにくいことがあった。
【０００４】
本発明は、このような課題に鑑みなされたものであり、載置トレイへの上方からの荷重によって生じる不具合を抑制することができるディスク装置及び印刷装置を提供することを目的の一つとする。また、ディスクをチャッキング部に装着しやすいディスク装置及び印刷装置を提供することを目的の一つとする。
【課題を解決するための手段】
【０００５】
本発明は、上述の目的の少なくとも一つを達成するために以下の手段を採った。
【０００６】
本発明のディスク装置は、
ディスクを載置する載置面が上面に形成された載置トレイと、
前記載置トレイを筐体内部に格納する格納位置と前記載置トレイを筐体内部から突出させ前記ディスクを載置可能な載置位置とに導く移動機構と、
移動機構により導かれて前記載置トレイが前記載置位置に位置するときに前記載置トレイの下面側で接地面と接地する接地部材を有し該接地部材により前記載置トレイを支える接地支持部と、
を備えたものである。
【０００７】
このディスク装置では、ディスクを載置する載置面が上面に形成された載置トレイを筐体内部に格納する格納位置と、この載置トレイを筐体内部から突出させディスクを載置可能な載置位置とに移動可能であり、載置トレイが載置位置に位置するときに接地支持部が載置トレイの下面側で接地面と接地して載置トレイを支える。このように、ディスクが載置位置にあるときには接地支持部が接地して載置トレイを支える。したがって、上方からの荷重によって生じる不具合を抑制することができる。また、載置トレイがディスクを装着するチャッキング部を有している場合などには、接地支持部が接地面と接地して下方から載置トレイを支持するため、ディスクをチャッキング部に装着しやすい。ここで、「ディスク」には、中心に円形の穴が形成された円板や円板状のディスクが矩形状のケースに格納されたものなどが含まれる。
【０００８】
本発明のディスク装置において、前記接地支持部は、前記接地部材が配設され、前記載置トレイが格納位置にあるときには前記接地部材を前記載置トレイの下面側に固定し、前記載置トレイが前記載置位置にあるときには前記接地部材を前記接地面に接地する接地面側に固定する接地機構、を備えているものとしてもよい。こうすれば、載置トレイの載置位置では接地部材が接地して載置トレイを支え、載置トレイの格納位置では接地部材が載置トレイの下面側に固定されて載置トレイごと筐体内に格納可能であるため、装置のコンパクト化を図ることができる。このとき、前記接地機構は、前記移動機構により前記載置トレイが前記格納位置から前記載置位置へ移動するに伴って前記載置トレイから接地面に向かって該接地部材を移動させるものとしてもよい。また、前記接地機構は、前記載置トレイの下面側にその一端である固定端が回動可能に配設されると共に他端である回動端側に前記接地部材が配設された第１支持部材と、前記第１支持部材よりも短い長さに形成され前記第１支持部材の回動端側にその一端である接続端が接続されると共に他端である移動端が載置トレイの下面に沿って移動可能に配設された第２支持部材と、を備えているものとしてもよい。こうすれば、第２支持部材の移動端が第１支持部材の固定端に近づくと接地部材が載置トレイの下面側に移動し、移動端が固定端から離れると接地部材が接地面側に移動するため、比較的簡単な構造で接地部材を移動することができる。このとき、前記接地機構は、前記第１及び第２支持部材の少なくとも一方を前記接地面に向って付勢する第１付勢部材と、前記移動機構によって前記載置トレイが前記格納位置にあるときには前記第１及び第２支持部材の少なくとも一方を前記載置トレイの下面側に付勢する第２付勢部材と、を備えているものとしてもよい。こうすれば、載置トレイの格納位置では第２付勢部材によって接地部材が載置トレイの下面側に付勢され、載置トレイの載置位置では第１付勢部材によって接地部材が接地面側に付勢されるため、ユーザの操作を必要とせず接地部材を載置トレイの位置に応じて移動させることができる。このとき、前記移動機構は、筐体内部と筐体外部とに移動可能であり前記載置トレイを前記筐体内部と筐体外部とに導くガイド部材を備えており、前記第１支持部材は、前記固定端が前記ガイド部材の筐体側に回動可能に配設され、前記第２支持部材は、前記移動端が前記ガイド部材の先端側に前記固定端側へ移動可能に配設され、前記第２付勢部材は、前記載置トレイに配設され、前記載置トレイが前記載置位置から前記格納位置へ移動すると、前記第２支持部材の移動端側を前記第１支持部材の固定端側に付勢することにより前記第１及び第２支持部材を前記載置トレイの下面側に付勢するものとしてもよい。こうすれば、載置トレイの移動に連動して接地部材が載置トレイの下面側と接地面側とを移動するため、比較的スムーズに載置トレイの移動を行うことができる。あるいは、前記移動機構は、筐体内部と筐体外部とに移動可能であり前記載置トレイを前記筐体内部と筐体外部とに導くガイド部材を備えており、前記第１支持部材は、前記固定端が前記載置トレイの先端側に回動可能に配設され、前記第２支持部材は、前記移動端が前記載置トレイの筐体側に前記固定端側へ移動可能に配設され、前記第２付勢部材は、前記ガイド部材に配設され、前記載置トレイが前記載置位置から前記格納位置へ移動すると、前記第２支持部材の移動端側を前記第１支持部材の固定端側に付勢することにより前記第１及び第２支持部材を前記載置トレイの下面側に付勢するものとしてもよい。
【０００９】
本発明のディスク装置において、前記載置トレイは、前記ディスクを装着するチャッキング部を有し、前記接地支持部は、前記載置トレイが前記載置位置であるときに前記接地部材がチャッキング部の鉛直下方に位置するよう設けられているものとしてもよい。こうすれば、ディスクをチャッキング部に装着する際に上方からディスクごと載置トレイを押圧しても接地部材がしっかり載置トレイを支持することができるし、ひいては、よりディスクをチャッキング部に装着しやすい。
【００１０】
本発明のディスク装置において、前記移動機構は、前記載置トレイを前記筐体外部へ導くガイド部材と、前記載置トレイの先端が接地面に向って移動するよう前記ガイド部材を回動可能に支持するガイド支持部材と、備えているものとしてもよい。こうすれば、比較的簡単な構成で載置トレイを接地させることができる。
【００１１】
本発明のディスク装置において、前記移動機構は、前記載置トレイを前記筐体内部から接地面に向って導くように形成されたガイド部材であるものとしてもよい。こうすれば、比較的簡単な構成で載置トレイを接地させることができる。
【００１２】
載置トレイの先端が接地面に向かって移動する態様を採用した本発明のディスク装置において、前記接地支持部は、前記接地部材が前記載置トレイの先端に設けられたベゼルであるものとしてもよい。こうすれば、載置トレイの上方からかかる荷重を載置トレイの先端で受止めるため、装置が安定しやすい。このとき、前記ベゼルは、前記載置トレイが前記格納位置にあるときに外部に露出する外面が前記載置位置では接地面に接するように前記載置トレイの先端に設けられた回動軸を中心に回動可能であるものとしてもよい。こうすれば、載置トレイが載置位置であるときにベゼルの外面が接地するため、十分に上方からの荷重を受けることができる。
【００１３】
本発明のディスク装置において、前記接地支持部は、前記接地部材が接地面に接して転がる接地ローラであるものとしてもよい。こうすれば、接地部材が接地面に引っ掛かりにくいため、比較的確実に載置トレイを支持することができる。
【００１４】
本発明のディスク装置において、前記接地支持部は、前記接地部材を前記接地面に向って押圧する第１押圧部材と、前記移動機構によって前記載置トレイが前記格納位置にあるときには前記接地部材を前記載置トレイの下面側に押圧する第２押圧部材と、を備えているものとしてもよい。こうすれば、載置トレイの格納位置では第２押圧部材によって接地部材が載置トレイの下面側に押圧され、載置トレイの載置位置では第１押圧部材によって接地部材が接地面側に押圧されるため、ユーザの操作を必要とせず接地部材を載置トレイの位置に応じて移動させることができる。
【００１５】
本発明の印刷装置は、上述したいずれかに記載のディスク装置と、前記ディスク装置に設置されたディスクから読出したデータを印刷媒体へ印刷可能な印刷処理手段と、を備えたものである。本発明のディスク装置は、上方からの荷重によって生じる不具合を抑制することができるため、これを搭載した印刷装置も同様の効果が得られる。
【発明を実施するための最良の形態】
【００１６】
次に、本発明を実施するための最良の形態を実施例を用いて説明する。
【実施例】
【００１７】
［第１実施例］
次に、本発明を実施するための最良の形態を第１実施例を用いて説明する。図１は、本発明の一実施例であるプリンタ２０の構成の概略を示す構成図であり、図２は、プリンタ２０が備えるディスク装置３０の説明図であり、図２（ａ）が側面図、図２（ｂ）が（ａ）のＡ−Ａ視図である下面図であり、図３は、ディスク装置３０の載置トレイ３２の下面に設けられた接地支持部４０の説明図である。本実施例のプリンタ２０は、図１に示すように、筐体２１正面に設けられ携帯用の記憶媒体であるメモリカードを装着・取外し可能であるカードスロット２２と、筐体２１の側面に設けられＤＶＤ−Ｒなどの光ディスクにデータを書き込み消去可能なドライブであるディスク装置３０と、カードスロット２２やディスク装置３０が読出したデータを記録紙Ｓに印刷処理する印刷機構２４とを備えている。印刷機構２４は、プリントヘッド内の圧電素子に電圧をかけてこの圧電素子を変形させることによりインクカートリッジ内のインクを加圧して記録紙Ｓに向かって吐出するインクジェット方式を採用している。なお、印刷機構２４は、プリントヘッド内のヒータを加熱することによりインクカートリッジ内のインクを加圧して記録紙Ｓに向かって吐出する方式を採用してもよいし、電子写真方式の印刷機構としてもよい。
【００１８】
ディスク装置３０は、カードスロット２２に挿入されたメモリカードに記憶されたデータをバックアップするときや、光ディスクに保存されたデータを読出して印刷するときに利用される装置である。このディスク装置３０は、先端に蓋部材であるベゼル３３が設けられ光ディスクを載置する載置面３２ａが上面に形成された載置トレイ３２と、載置トレイ３２に設けられ光ディスクを回転可能に装着するチャッキング部３４と、載置トレイ３２に設けられチャッキング部３４に装着された光ディスクをレンズ３５ａで読取るピックアップ部３５と、載置トレイ３２を筐体２１の内部に格納された格納位置と筐体２１から突出した載置位置とに導くガイド部材３６と、載置トレイ３２が載置位置に位置するときに載置トレイ３２の下面側で載置トレイ３２を支える接地支持部４０とを備えている。
【００１９】
載置トレイ３２は、図２に示すように、板状の部材であり、その上面には、ＣＤ−ＲやＤＶＤ−Ｒなど、中心に円形の穴が形成された円板状のディスクを載置する載置面３２ａが形成されている。この載置トレイ３２の両側端部には、トレイ本体よりも薄い厚さの鍔部３２ｂが形成されている。また、載置トレイ３２の下面には、先端から中央部近傍に亘って載置トレイ３２の移動方向に立設された押圧部３２ｃ，３２ｃが２本固定されている。この載置トレイ３２には、図示しないロック機構が設けられており、載置トレイ３２の下方の筐体２１に設けられた開スイッチ３１がユーザにより押下されるとこのロック機構のロックが解除されるよう構成されている。ここで、載置トレイ３２について、光ディスクはチャッキング部３４に装着され載置トレイ３２から浮いた状態で支持されるが、本明細書では、この状態も「光ディスクを載置トレイ３２に載置する」に含むものとする。また、本明細書では、説明の便宜のため、載置トレイ３２が載置位置へ移動する先の側を「先端側」と称し、載置トレイ３２が格納位置へ移動する先の側を「筐体側」と称するものとする。
【００２０】
ガイド部材３６は、載置トレイ３２の両側端部に形成された鍔部３２ｂ，３２ｂを支持して載置トレイ３２を水平に載置位置と格納位置とに導く部材であり、載置トレイ３２の下方に位置する底板部３６ａと底板部３６ａの両側端部に設けられ鍔部３２ｂを移動可能に支持するガイド部３６ｂとを有している。なお、説明の便宜のため、図において、ガイド部材３６には網掛処理を施した。このガイド部材３６は、載置トレイ３２の移動方向と同じ方向に筐体２１に設けられた図示しないガイド溝に沿って移動可能に筐体２１に配設されており、図示しないバネにより筐体２１から外部へ突出する方向に常に付勢されている。このガイド部材３６の下面には、押圧部３２ｃと平行且つ押圧部３２ｃの内側に立設した立壁部３６ｄ，３６ｄが筐体側の端部から先端側の端部に亘って平行に２本形成されている。この立壁部３６ｄ，３６ｄには、載置トレイ３２の移動方向に誘導溝３６ｅ，３６ｅが形成されている。この誘導溝３６ｅ，３６ｅの先端側は、載置トレイ３２が載置位置にあるときにチャッキング部３４の鉛直下方に位置するように形成されている。また、ガイド部材３６の下面には、先端側から筐体側に矩形状の切欠部３６ｃが設けられており、載置トレイ３２に固定された押圧部３２ｃがこの切欠部に沿って移動可能となっている。
【００２１】
接地支持部４０は、図２及び図３に示すように、載置トレイ３２の下面に設けられており、支持部材としての第１部材４１及び第２部材４２などを含む接地機構４８と、接地部材としての接地ローラ４３と、付勢部材としてのバネ４４とを備えている。第１部材４１は、載置トレイ３２の移動方向に垂直な断面が略Ｕ字状の部材であり、その一端である固定端がガイド部材３６の下面の筐体側に回動軸４１ａにより回動可能に配設されると共に、他端である回動端に回転軸４１ｂを介して接地ローラ４３が配設されている（図３参照）。第２部材４２は、第１部材４１よりも短い長さに形成された柱状の部材であり、その一端である接続端が第１支持部材４１の回転軸４１ｂに接続されると共に、他端である移動端に設けられた移動軸４２ａが立壁部３６ｄに形成された誘導溝３６ｅに挿入されて載置トレイ３２の下面に沿って第１部材４１の固定端側へ移動可能に配設されている。移動軸４２ａは、図２（ｂ）に示すように、立壁部３６ｄと立壁部３６ｄとの幅よりも十分長く形成されており、立壁部３６ｄから側端部側に突出した状態で誘導溝３６ｅ，３６ｅに支持されている。この移動軸４２ａの両端部は、押圧部３２ｃの端部が当接可能となっている（図３参照）。ここで、接地機構４８について説明する。第１部材４１は、第２部材４２の移動軸４２ａが誘導溝３６ｅの先端側に位置するときに、第２部材４２が接地面Ｅに対して垂直となる長さに形成されている。また、第２部材４２は、回動軸４１ａと回転軸４１ｂとの長さよりも回転軸４１ｂと移動軸４２ａとの長さが短くなるように構成され、且つ接地面に対して垂直としたときに接地ローラ４３が接地面に接地する長さに形成されている。このため、載置トレイ３２が載置位置にあるときには、第２部材４２が接地面に対して垂直になり、移動軸４２ａが回動軸４１ａ側に移動すると接地ローラ４３が載置トレイ３２の下面側に移動するようになっている。接地ローラ４３は、弾性体（例えば硬質ゴムなど）によりその外周面が形成された接地面Ｅに接地する部材であり、その軸中心に回転軸４１ｂが挿入され、第１部材４１の回動端と第２部材４２の接続端とにより回転可能に軸支されている。バネ４４は、図３に示すように、回転軸４１ｂに軸支され、その一端を第１部材４１に接続し他端を第２部材４２に接続し、第１部材４１の固定端と第２部材４２の移動端とを遠ざける方向に付勢するバネである。このように、バネ４４は、第１部材４１と第２部材４２とに作用することで、接地ローラ４３を接地面Ｅへ付勢するものである。なお、バネ４４は、ガイド部材３６を付勢しているバネよりも若干小さな付勢力に設定されている。
【００２２】
次に、こうして構成された本実施例のディスク装置３０の動作、特に光ディスクを載置する載置位置から筐体２１内部へ載置トレイ３２を格納する動作について説明する。図４は、載置トレイ３２を筐体２１へ格納する説明図であり、図４（ａ）が載置位置の図、図４（ｂ）が格納位置へ載置トレイ３２が移動した図、図４（ｃ）が格納位置へ載置トレイ３２とガイド部材３６とが移動した図、図４（ｄ）が格納位置の図である。まず、ユーザは、チャッキング部３４に光ディスクを装着し、ベゼル３３を筐体側に押す。すると、ガイド部材３６は第１部材４１が筐体２１に接触するまで筐体側に移動し、載置トレイ３２がガイド部材３６に導かれて筐体側に水平移動する。このとき、押圧部３２ｃの端部が移動軸４２ａに当接しこの移動軸４２ａを筐体側へ押圧する。すると、図４（ｂ）に示すように、移動軸４２ａが誘導溝３６ｅに沿って回動軸４１ａに向かって移動し、移動軸４２ａが設けられた第２部材４２の移動端も回動軸４１ａに向かって移動する。また、第１部材４１が第２部材４２に引き上げられてその回動端が上方へ持ち上がり、これに接続された接地ローラ４３も接地面側から載置トレイ３２の下面側へ移動する。続いて、ユーザがベゼル３３を筐体側へ押すと、図４（ｃ）に示すように、押圧部３２ｃに押された移動軸４２ａが誘導溝３６ｅの筐体側の端部に当接し、接地ローラ４３を載置トレイ３２の下面側に固定し、ガイド部材３６が載置トレイ３２と共に筐体側へ移動する。そして、更にユーザがベゼル３３を筐体側へ押すとベゼル３３が筐体２１に当接した状態で、載置トレイ３２が格納位置で図示しないロック機構により固定される。一方、載置トレイ３２を格納位置から載置位置へ移動させる際には、ユーザが開スイッチ３１を押下して載置トレイ３２を固定しているロック機構を解除し、ガイド部材３６を付勢しているバネのバネ力で載置トレイ３２とガイド部材３６とが載置位置に向かって移動する。このとき、第１部材４１と第２部材４２とがバネ４４により付勢されており、接地ローラ４３が接地面に向かって移動する。そして、載置トレイ３２が載置位置に至ると共に接地ローラ４３が接地面に接地する。このとき、チャッキング部３４の鉛直下方に設けられた誘導溝３６ｅの先端側の端部に移動軸４２ａが当接することから、接地ローラ４３がチャッキング部３４の鉛直下方の位置で固定される（図４（ａ））。
【００２３】
ここで、本実施例の構成要素と本発明の構成要素との対応関係を明らかにする。本実施例のガイド部材３６が本発明の移動機構に相当し、第１部材４１及び第２部材４２が接地機構に相当し、接地ローラ４３が接地部材に相当し、第１部材４１が第１支持部材に相当し、第２部材４２が第２支持部材に相当し、バネ４４が第１付勢部材及び第１押圧部材に相当し、押圧部３２ｃが第２付勢部材及び第２押圧部材に相当し、印刷機構２４が印刷処理手段に相当する。
【００２４】
以上詳述した本第１実施例のディスク装置３０によれば、光ディスクを載置する載置面３２ａが上面に形成された載置トレイ３２を筐体２１の内部に格納する格納位置と、この載置トレイ３２を筐体内部から突出させディスクを載置可能な載置位置とに移動可能であり、載置トレイ３２が載置位置に位置するときに接地支持部４０が載置トレイ３２の下面側で接地面と接地して載置トレイ３２を支える。このように、載置トレイ３２が載置位置にあるときには接地支持部４０が接地してこれを支える。したがって、載置トレイ３２への上方からの荷重によって生じる載置トレイ３２の変形や破損などの不具合を抑制することができる。また、載置トレイ３２が光ディスクを装着するチャッキング部３４を有しており、接地支持部４０が接地面と接地して下方から載置トレイ３２を支持するため、光ディスクをチャッキング部３４に装着しやすい。更に、接地支持部４０により、載置トレイ３２の載置位置では接地ローラ４３が接地して載置トレイ３２を支え、載置トレイ３２の格納位置では接地ローラ４３が載置トレイ３２の下面側に固定されて載置トレイ３２ごと筐体２１の内部に格納可能であるため、装置のコンパクト化を図ることができる。更にまた、載置トレイ３２の格納位置では押圧部３２ｃによって接地ローラ４３が載置トレイ３２の下面側に押圧され、載置トレイ３２の載置位置ではバネ４４によって接地ローラ４３が接地面側に付勢されるため、ユーザの操作を必要とせず接地ローラ４３を載置トレイ３２の位置に応じて移動させることができる。そして、第１部材４１の固定端がガイド部材３６の筐体側に回動可能に配設され、第２部材４２の移動端がガイド部材３６の先端側に固定端側へ移動可能に配設され、押圧部３２ｃが載置トレイ３２に配設されており、載置トレイ３２が載置位置から格納位置へ移動すると、第２部材４２の移動端側を第１部材４１の固定端側に押圧することにより第１部材４１及び第２部材４２を載置トレイ３２の下面側に押圧するため、載置トレイ３２の移動に連動して接地ローラ４３が載置トレイ３２の下面側と接地面側とを移動し、比較的スムーズに載置トレイ３２の移動を行うことができる。そしてまた、載置トレイ３２が載置位置であるときに接地ローラ４３がチャッキング部３４の鉛直下方に位置するため、光ディスクをチャッキング部に装着する際に上方から光ディスクごと載置トレイ３２を押圧しても接地部材がしっかり載置トレイ３２を支持することができるし、ひいては、より光ディスクをチャッキング部に装着しやすい。そして更に、接地部材が接地面に接して転がる接地ローラであるため、接地部材が接地面に引っ掛かりにくく、比較的確実に載置トレイ３２を支持することができる。そして更にまた、プリンタ２０は、画像データの保存などに利用されることが多く、本発明を適用する意義が高い。
【００２５】
上述した第１実施例では、第１部材４１がガイド部材３６に回動可能に配設され、第２部材４２がガイド部材３６の立壁部３６ｄに設けられた誘導溝３６ｅに移動可能に設けられたものとしたが、図５に示すようなディスク装置３０Ｂの接地支持部４０Ｂとして構成してもよい。図５は、別の接地支持部４０Ｂの説明図であり、図５（ａ）が載置位置の図、図５（ｂ）が格納位置へ載置トレイ３２が移動した図、図５（ｃ）が格納位置へ載置トレイ３２とガイド部材３６とが移動した図、図５（ｄ）が格納位置の図である。なお、説明の便宜のため、上述した第１実施例と同様の構成については同じ符号を付し、以下その説明を省略する。この、接地支持部４０Ｂは、第１部材４１と第２部材４２とを含む接地機構４８Ｂを有し、移動方向に平行となるように載置トレイ３２の先端と載置トレイ３２の中央近傍とに亘って載置トレイ３２の下面に２本の立壁部３９，３９が設けられている。この立壁部３９，３９の先端側には、第１部材４１の固定端が回動可能に配設され、この立壁部３９，３９の筐体側には、誘導溝３９ａが設けられており、この誘導溝３９ａに第２部材４２の移動端に配設された移動軸４２ａが固定端側へ移動可能に支持されている。また、ガイド部材３６の下面には、押圧部３６ｆが配設されており、載置トレイ３２が載置位置から格納位置へ移動すると、この押圧部３６ｆにより第２部材４２の移動端を第１部材４１の固定端側に押圧することにより第１部材４１，第２部材４２を載置トレイ３２の下面側に押圧するよう構成されている。こうして構成されたディスク装置３０の動作、特に光ディスクを載置する載置位置から筐体２１内部へ載置トレイ３２を格納する動作について説明する。まず、図５（ａ）に示すように、載置トレイ３２が載置位置にあるときに、ユーザがベゼル３３を筐体側に押すと、載置トレイ３２がガイド部材３６に導かれて筐体側に水平移動する。このとき、押圧部３６ｆの端部が移動軸４２ａに当接しこの移動軸４２ａを先端側へ押圧する。すると、図５（ｂ）に示すように、移動軸４２ａが誘導溝３９ａに沿って回動軸４１ａに向かって移動し、移動軸４２ａが設けられた第２部材４２の移動端も回動軸４１ａに向かって移動する。また、第１部材４１の回動端が上方へ持ち上がり、これに接続された第２部材４２の接続端や接地ローラ４３も接地面Ｅから載置トレイ３２の下面側へ移動する。続いて、ユーザがベゼル３３を筐体側へ押すと、図５（ｃ）に示すように、押圧部３６ｆに押された移動軸４２ａが誘導溝３９ｂの先端側の端部に当接し、接地ローラ４３を載置トレイ３２の下面側に固定してガイド部材３６が載置トレイ３２と共に筐体側へ移動する。そして、更にユーザがベゼル３３を筐体側へ押すとベゼル３３が筐体２１に当接した状態で、載置トレイ３２が格納位置で図示しないロック機構により固定される。一方、載置トレイ３２を載置位置に移動させる際には、ユーザが開スイッチ３１を押下して載置トレイ３２を固定しているロック機構を解除し、ガイド部材３６を付勢しているバネの付勢力で載置トレイ３２とガイド部材３６とが載置位置に向かって移動する。このとき、接地ローラ４３が接地面に向かって移動する。そして、載置トレイ３２が載置位置に至ると共に接地ローラ４３が接地面に接地する。このように、載置トレイ３２が載置位置にあるときには接地支持部４０Ｂが接地してこれを支える。したがって、載置トレイ３２への上方からの荷重によって生じる不具合を抑制することができる。
【００２６】
［第２実施例］
次に、本発明の第２実施例について図面を用いて説明する。図６は、別のディスク装置５０の説明図であり、図６（ａ）が載置位置の図、図６（ｂ）が格納位置の図である。このディスク装置５０は、載置トレイ３２の先端に設けられ載置トレイ３２が載置位置に位置するときに載置トレイ３２の下面側でこれを支える接地支持部５１と、この接地支持部５１の接地面への接地や接地面からの離間を行う接地機構５２とを備えている。この接地機構５２は、載置トレイ３２を筐体内部と筐体外部とに導くガイド部材３６と、載置トレイ３２の先端が接地面に向って移動するようガイド部材３６を支持軸５４ａにより回動可能に支持するガイド支持部材５４と、を備えている。このディスク装置５０では、載置トレイ３２の先端側の重量が筐体側の重量よりも重くなっており、載置位置であるときに支持軸５４ａを中心に載置トレイ３２の先端が接地面側に傾くようになっている。また、ベゼル３３は、接地軸５６ａを中心に回動可能にベゼル３３を支持する回動部５６を介して載置トレイ３２の先端に設けられている。したがって、ベゼル３３は、載置トレイ３２が格納位置にあるときに外部に露出する外面３３ａが載置位置では接地面に接するように回動する。
【００２７】
このように構成されたディスク装置５０では、図６（ａ）に示すように、載置トレイ３２が載置位置であるときに、ユーザがベゼル３３を掴み、載置トレイ３２を筐体側に押す。すると、載置トレイ３２は、ガイド部材３６に導かれて筐体２１の内部に移動する。このとき、ガイド支持部材５４の支持軸５４ａを中心に回動しながら載置トレイ３２が筐体２１の内部に移動する。そして、外面３３ａが正面となるようベゼル３３が接地軸５６ａを中心に回動し、載置トレイ３２が図示しないロック機構により格納位置に固定される。一方、図６（ｂ）に示すように、載置トレイ３２が格納位置にあるときに、開スイッチ３１が押下されると、載置トレイ３２がガイド部材３６に導かれて筐体２１の内部から外部に向かって移動する。このとき、載置トレイ３２は、支持軸５４ａを中心にその先端が接地面に向かって傾きながら移動する。そして、ベゼル３３の下部が接地面Ｅに接地すると、ベゼル３３は、接地軸５６ａを中心に回動し、外面３３ａが接地面Ｅに接した状態となる。このように、載置トレイ３２が載置位置にあるときには、載置トレイ３２の先端側に設けられたベゼル３３が接地面に接地してこれを支持すると共に、載置トレイ３２の筐体側に設けられたガイド支持部材５４が筐体２１を介してこれを支持するのである。したがって、載置トレイ３２の先端部が接地しないものに比して、上方からの荷重によって生じる不具合を抑制することができる。また、比較的簡単な構成で載置トレイ３２を接地させることができる。また、ガイド支持部材５４により載置トレイ３２が比較的自由に回動可能であるため、接地面に段差などがあってもベゼル３３が接地面に接地しやすいし、より安定的に載置トレイ３２を支えることができる。
【００２８】
［第３実施例］
次に、本発明の第３実施例について図面を用いて説明する。図７は、別のディスク装置６０の説明図であり、図７（ａ）が載置位置の図、図７（ｂ）が移動途中の図、図７（ｃ）が格納位置の図であり、図８は、図７（ａ）のＢ−Ｂ視図である。このディスク装置６０は、筐体側の両側端にガイドピン３７が複数（ここでは２個ずつ）設けられると共に、筐体側の下面に直方体形状の係止部３８が設けられた載置トレイ３２と、載置トレイ３２の先端に設けられ載置トレイ３２が載置位置に位置するときに載置トレイ３２の下面側でこれを支える接地支持部５１と、載置トレイ３２を筐体２１の内部から接地面に向って導くように形成されたガイド部材３６と、係止部３８を引っ掛けて載置トレイ３２を載置位置と格納位置とに移動させる接地機構６２と、を備えている。ガイド部材３６は、筐体２１内部では水平に形成され、載置トレイ３２の出入りする開口部近傍で下方に向かうよう形成されている。接地機構６２は、係止部３８が引っ掛かる移動部６４や移動部６４を導く誘導部材６５、誘導部材６５を移動させる移動用ギヤ６８などを備えている。移動部６４は、載置トレイ３２の移動方向の断面がＵ字状に形成され、係止部３８が上方からクリアランスをもって嵌め込まれる部材である。この移動部６４には、図８に示すように、ギヤが形成された矩形状の部材である誘導部材６５がその側面に固定されており、誘導部材６５に形成されたギヤに移動用ギヤ６８が噛合し、図示しないモータにより移動用ギヤ６８が回転駆動されることにより、載置トレイ３２を載置位置と格納位置とに移動するものである。なお、この載置トレイ３２には、チャッキング部３４やピックアップ部３５が設けられていない。なお、ピックアップ部３５は、筐体２１側に設けられている。
【００２９】
このように構成されたディスク装置６０では、図７（ａ）に示すように、載置トレイ３２が載置位置であるときに、ユーザが開スイッチ３１を押下すると、図示しないモータが駆動され、移動用ギヤ６８（図８参照）を回転させ誘導部材６５を介して移動部６４を筐体後部へ移動させる。移動部６４の移動に伴い、移動部６４に嵌め込まれた係止部３８が移動し、載置トレイ３２が筐体側へ移動する。このとき、載置トレイ３２の両側端に設けられたガイドピン３７がガイド部材３６に導かれ、載置トレイ３２は、図７（ｂ）に示すように、その先端が接地面から浮上がりながら移動する。そして、載置トレイ３２が格納位置に来ると、ベゼル３３の下部が筐体２１に当接してベゼル３３が回動して開口部の蓋になる。一方、図７（ｃ）に示すように、載置トレイ３２が格納位置にあるときに、開スイッチ３１が押下されると、図示しないモータの駆動による移動用ギヤ６８の回転により移動部６４が開口部に向かって移動し、これに伴って、係止部３８が固定された載置トレイ３２がガイド部材３６に導かれて筐体２１の内部から外部に向かって移動する。このとき、載置トレイ３２は、その先端がガイド部材３６に導かれて接地面へ向かって傾きながら移動する。そして、図７（ａ）に示すように、ベゼル３３の下部が接地面Ｅに接地すると、ベゼル３３は、接地軸５６ａを中心に回動し、外面３３ａが接地面Ｅに接した状態となる。このように、載置トレイ３２が載置位置にあるときには、載置トレイ３２の先端側に設けられたベゼル３３が接地面に接地してこれを支持すると共に、載置トレイ３２の筐体側に設けられたガイドピン３７が筐体２１を介してこれを支持するのである。したがって、載置トレイ３２の先端部が接地しないものに比して、上方からの荷重によって生じる不具合を抑制することができる。また、比較的簡単な構成で載置トレイ３２を接地させることができる。
【００３０】
なお、本発明は上述した実施例に何ら限定されることはなく、本発明の技術的範囲に属する限り種々の態様で実施し得ることはいうまでもない。
【００３１】
例えば、上述した第１実施例では、接地面と接地する接地部材は接地ローラ４３としたが、特にローラに限られず、平板であってもよい。
【００３２】
上述した第１実施例では、第１部材４１と第２部材４２とに接続したバネ４４により、第１部材４１と第２部材４２とを付勢することにより接地ローラ４３を接地面に接地するよう付勢するものとしたが、ガイド部材３６と第１部材４１とに接続されたバネとし、第１部材４１の回動端を接地面に向って付勢するものとしてもよいし、ガイド部材３６と第２部材４２とに接続されたバネとし、第２部材４２の接続端を接地面に付勢するものとしてもよい。こうしても、接地ローラ４３を接地面へ付勢することができる。あるいは、バネ４４を省略してもよい。こうすれば、構成を簡素化することができる。
【００３３】
上述した第１実施例では、接地ローラ４３は、載置トレイ３２が載置位置にあるときに、チャッキング部３４の鉛直下方に配置されるものとしたが、特にこれに限定されず、載置トレイ３２の下面側であればいずれの位置に配置してもよい。なお、載置トレイ３２の安定性を考慮すると、チャッキング部３４の鉛直下方や載置トレイ３２の先端側に配置するのが好ましい。
【００３４】
上述した第１，第２実施例では、バネの付勢力を利用して載置トレイ３２を載置位置へ移動するものとしたが、第３実施例のようにモータの駆動により載置トレイ３２を載置位置へ移動するものとしてもよい。あるいは、バネを利用せずに、ユーザが載置トレイ３２や接地ローラ４３を引出したり押込んだりしてもよい。
【００３５】
上述した第１，第２実施例では、チャッキング部３４が載置トレイ３２上に設けられているものとしたが、載置トレイ３２上に設けられていないものとしてもよい。また、上述した第１，第２実施例では、ピックアップ部３５が載置トレイ３２上に設けられているものとしたが、ピックアップ部３５が筐体２１の内部に設けられているものとしてもよい。こうしても、載置トレイ３２への上方からの荷重によって生じる不具合を抑制することができる。
【００３６】
上述した第２，第３実施例では、接地面と接地する接地部材は回動可能なベゼル３３としたが、回動できないものとしてもよい。こうしても、ベゼル３３の下部が接地面に接地して載置トレイ３２を支えることができる。あるいは、ベゼル３３に限らず、先端部以外の位置に接地部材を新たに設けるものとしてもよい。また、接地部材は、特にベゼル３３のような平板に限られず、例えば接地ローラであってもよい。
【００３７】
上述した実施例では、第１実施例が載置トレイ３２を水平に移動して載置位置と格納位置とに移動するものとし、第２，第３実施例が載置トレイ３２を接地面側へ向いながら載置位置に移動するものとしたが、第１実施例においても載置トレイ３２を接地面側へ向いながら載置位置に移動するものとしてもよい。このように、上述した第１、第２、第３実施例のいずれかの構成を適宜、選択したり組合わせたりしてもよい。
【００３８】
上述した実施例では、ディスク装置３０を備えたプリンタ２０を用いて説明したが、ディスク装置３０を備えた電子機器であれば特に限定されずに本発明を適用することができる。例えば、ＰＣや録画用デッキ（光ディスクデッキ）、オーディオ機器、ゲーム機器などに用いることができる。また、ディスク装置３０単体（外付けドライブなど）としてもよい。また、載置トレイ３２に載置するディスクは、矩形状のケースに格納されたディスクとしてもよい。
【図面の簡単な説明】
【００３９】
【図１】本発明の一実施例であるプリンタ２０の構成の概略を示す構成図である。
【図２】プリンタ２０が備えるディスク装置３０の説明図である。
【図３】載置トレイ３２の下面に設けられた接地支持部４０の説明図である。
【図４】載置トレイ３２を筐体２１へ格納する説明図である。
【図５】別の接地支持部４０Ｂの説明図である。
【図６】別のディスク装置５０の説明図である。
【図７】別のディスク装置６０の説明図である。
【図８】図７のＢ−Ｂ視図である。
【符号の説明】
【００４０】
２０  プリンタ、２１  筐体、２２  カードスロット、２４  印刷機構、３０，３０Ｂ，５０，６０  ディスク装置、３１  開スイッチ、３２  載置トレイ、３２ａ  載置面、３２ｂ  鍔部、３２ｃ，３６ｆ  押圧部、３３  ベゼル、３３ａ  外面、３４  チャッキング部、３５  ピックアップ部、３５ａ  レンズ、３６  ガイド部材、３６ａ  底板部、３６ｂ  ガイド部、３６ｃ  切欠部、３６ｄ  立壁部、３６ｅ  誘導溝、３７  ガイドピン、３８  係止部、３９  立壁部、３９ａ  誘導溝、４０，４０Ｂ  接地支持部、４１  第１部材、４１ａ  回動軸、４１ｂ  回転軸、４２  第２部材、４２ａ  移動軸、４３  接地ローラ、４４  バネ、４８，４８Ｂ  接地機構、５１  接地支持部、５２，６２  接地機構、５４  ガイド支持部材、５４ａ  支持軸、５６  回動部、５６ａ  接地軸、６４  移動部、６５  誘導部材、６８  移動用ギヤ、Ｅ  接地面、Ｓ  記録紙。
【図１】
2008171518.tif 000003
【図２】
2008171518.tif 000004
【図３】
2008171518.tif 000005
【図４】
2008171518.tif 000006
【図５】
2008171518.tif 000007
【図６】
2008171518.tif 000008
【図７】
2008171518.tif 000009
【図８】
2008171518.tif 000010